【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
基地局装置と通信する移動局装置であって、
複数の下りリンクコンポーネントキャリアにおいて受信を行う手段と、
チャネル状態情報の送信を要求する情報が含まれる、１つの上りリンクコンポーネントキャリアにおける物理上りリンク共用チャネルのスケジュールに使用される下りリンク制御情報フォーマットの受信を行う手段と、
前記チャネル状態情報の送信を要求する前記情報を検出した場合に、前記複数の下りリンクコンポーネントキャリアのうちの、前記１つの上りリンクコンポーネントキャリアにリンクする１つの下りリンクコンポーネントキャリアの前記チャネル状態情報の送信を行う手段と、を備える
ことを特徴とする移動局装置。
【請求項２】
前記チャネル状態情報の送信を行う前記手段は、前記１つの上りリンクコンポーネントキャリアにおける前記物理上りリンク共用チャネルを使用して、前記チャネル状態情報を送信する
ことを特徴とする請求項１に記載の移動局装置。
【請求項３】
前記１つの下りリンクコンポーネントキャリアと前記１つの上りリンクコンポーネントキャリアとの間のリンクは、前記基地局装置から前記移動局装置へ指示される  
ことを特徴とする請求項１または請求項２に記載の移動局装置。
【請求項４】
移動局装置と通信する基地局装置であって、
複数の下りリンクコンポーネントキャリアにおいて送信を行う手段と、
チャネル状態情報の送信を要求する情報が含まれる、１つの上りリンクコンポーネントキャリアにおける物理上りリンク共用チャネルのスケジュールに使用される下りリンク制御情報フォーマットの送信を行う手段と、
前記チャネル状態情報の送信を要求する前記情報を送信した場合に、前記複数の下りリンクコンポーネントキャリアのうちの、前記１つの上りリンクコンポーネントキャリアにリンクする１つの下りリンクコンポーネントキャリアの前記チャネル状態情報の受信を行う手段と、を備える
ことを特徴とする基地局装置。
【請求項５】
前記チャネル状態情報の受信を行う前記手段は、前記１つの上りリンクコンポーネントキャリアにおける前記物理上りリンク共用チャネルを使用して、前記チャネル状態情報を受信する
ことを特徴とする請求項４に記載の基地局装置。
【請求項６】
前記１つの下りリンクコンポーネントキャリアと前記１つの上りリンクコンポーネントキャリアとの間のリンクは、前記基地局装置から前記移動局装置へ指示される
ことを特徴とする請求項４または請求項５に記載の基地局装置。
【請求項７】
基地局装置と通信する移動局装置の通信方法であって、
複数の下りリンクコンポーネントキャリアにおいて受信を行い、
チャネル状態情報の送信を要求する情報が含まれる、１つの上りリンクコンポーネントキャリアにおける物理上りリンク共用チャネルのスケジュールに使用される下りリンク制御情報フォーマットの受信を行い、
前記チャネル状態情報の送信を要求する前記情報を検出した場合に、前記複数の下りリンクコンポーネントキャリアのうちの、前記１つの上りリンクコンポーネントキャリアにリンクする１つの下りリンクコンポーネントキャリアの前記チャネル状態情報の送信を行う
ことを特徴とする通信方法。
【請求項８】
前記１つの上りリンクコンポーネントキャリアにおける前記物理上りリンク共用チャネルを使用して、前記チャネル状態情報を送信する
ことを特徴とする請求項７に記載の通信方法。
【請求項９】
前記１つの下りリンクコンポーネントキャリアと前記１つの上りリンクコンポーネントキャリアとの間のリンクは、前記基地局装置から前記移動局装置へ指示される
ことを特徴とする請求項７または請求項８に記載の通信方法。
【請求項１０】
移動局装置と通信する基地局装置の通信方法であって、
複数の下りリンクコンポーネントキャリアにおいて送信を行い、
チャネル状態情報の送信を要求する情報が含まれる、１つの上りリンクコンポーネントキャリアにおける物理上りリンク共用チャネルのスケジュールに使用される下りリンク制御情報フォーマットの送信を行い、
前記チャネル状態情報の送信を要求する前記情報を送信した場合に、前記複数の下りリンクコンポーネントキャリアのうちの、前記１つの上りリンクコンポーネントキャリアにリンクする１つの下りリンクコンポーネントキャリアの前記チャネル状態情報の受信を行う
ことを特徴とする通信方法。
【請求項１１】
前記１つの上りリンクコンポーネントキャリアにおける前記物理上りリンク共用チャネルを使用して、前記チャネル状態情報を受信する
ことを特徴とする請求項１０に記載の通信方法。
【請求項１２】
前記１つの下りリンクのコンポーネントキャリアと前記１つの上りリンクのコンポーネントキャリアとの間のリンクは、前記基地局装置から前記移動局装置へ指示される
ことを特徴とする請求項１０または請求項１１に記載の通信方法。
【請求項１３】
基地局装置と通信する移動局装置に搭載される集積回路であって、
複数の下りリンクコンポーネントキャリアにおいて受信を行う機能と、
チャネル状態情報の送信を要求する情報が含まれる、１つの上りリンクコンポーネントキャリアにおける物理上りリンク共用チャネルのスケジュールに使用される下りリンク制御情報フォーマットの受信を行う機能と、
前記チャネル状態情報の送信を要求する前記情報を検出した場合に、前記複数の下りリンクコンポーネントキャリアのうちの、前記１つの上りリンクコンポーネントキャリアにリンクする１つの下りリンクコンポーネントキャリアの前記チャネル状態情報の送信を行う機能と、を前記移動局装置へ発揮させる
ことを特徴とする集積回路。
【請求項１４】
前記チャネル状態情報の送信を行う前記機能は、前記１つの上りリンクコンポーネントキャリアにおける前記物理上りリンク共用チャネルを使用して、前記チャネル状態情報を送信する
ことを特徴とする請求項１３に記載の集積回路。
【請求項１５】
前記１つの下りリンクコンポーネントキャリアと前記１つの上りリンクコンポーネントキャリアとの間のリンクは、前記基地局装置から前記移動局装置へ指示される  
ことを特徴とする請求項１３または請求項１４に記載の集積回路。
【請求項１６】
移動局装置と通信する基地局装置に搭載される集積回路であって、
複数の下りリンクコンポーネントキャリアにおいて送信を行う機能と、
チャネル状態情報の送信を要求する情報が含まれる、１つの上りリンクコンポーネントキャリアにおける物理上りリンク共用チャネルのスケジュールに使用される下りリンク制御情報フォーマットの送信を行う機能と、
前記チャネル状態情報の送信を要求する前記情報を送信した場合に、前記複数の下りリンクコンポーネントキャリアのうちの、前記１つの上りリンクコンポーネントキャリアにリンクする１つの下りリンクコンポーネントキャリアの前記チャネル状態情報の受信を行う機能と、を前記基地局装置へ発揮させる
ことを特徴とする集積回路。
【請求項１７】
前記チャネル状態情報の受信を行う前記機能は、前記１つの上りリンクコンポーネントキャリアにおける前記物理上りリンク共用チャネルを使用して、前記チャネル状態情報を受信する
ことを特徴とする請求項１６に記載の集積回路。
【請求項１８】
前記１つの下りリンクコンポーネントキャリアと前記１つの上りリンクコンポーネントキャリアとの間のリンクは、前記基地局装置から前記移動局装置へ指示される
ことを特徴とする請求項１６または請求項１７に記載の集積回路。
【請求項１９】
基地局装置と移動局装置が通信する移動通信システムであって、
前記基地局装置は、
複数の下りリンクコンポーネントキャリアにおいて送信を行い、
チャネル状態情報の送信を要求する情報が含まれる、１つの上りリンクコンポーネントキャリアにおける物理上りリンク共用チャネルのスケジュールに使用される下りリンク制御情報フォーマットの送信を行い、
前記移動局装置は、
前記複数の下りリンクコンポーネントキャリアにおいて受信を行い、
前記チャネル状態情報の送信を要求する前記情報が含まれる、前記１つの上りリンクコンポーネントキャリアにおける前記物理上りリンク共用チャネルのスケジュールに使用される前記下りリンク制御情報フォーマットの受信を行い、
前記チャネル状態情報の送信を要求する前記情報を検出した場合に、前記１つの上りリンクコンポーネントキャリアにリンクする１つの下りリンクコンポーネントキャリアの前記チャネル状態情報の送信を行う
ことを特徴とする移動通信システム。